(57)【要約】【課題】  この発明は圧縮処理と予約録画の重複を防止することを目的とする。また、圧縮処理と予約録画の重複を防止することによって、圧縮処理と予約録画の両者を確実に行うことを目的とする。【解決手段】  この発明に係る映像コンテンツ記録装置は、映像コンテンツを受信する映像コンテンツ受信手段と、前記映像コンテンツ受信手段を用いる映像コンテンツの受信が所定の時間帯で予約設定される予約設定手段と、前記予約設定された時間帯の映像コンテンツを受信し、記録媒体に記録する記録手段と、前記記録された映像コンテンツの少なくとも１つに対し、記録容量が少なくなるように圧縮処理を行う記録容量圧縮手段と、前記予約設定手段に予約設定された映像コンテンツの受信時間帯を検出する予約検出手段を備え、前記記録容量圧縮手段は前記予約検出手段で検出された映像コンテンツの受信時間帯を避けて、前記圧縮処理を行うように構成している。【選択図】      図１
2009124504.tif 000002
【特許請求の範囲】
【請求項１】
受信した映像コンテンツを記録媒体に記録する映像コンテンツ記録装置において、
映像コンテンツを受信する映像コンテンツ受信手段と、
前記映像コンテンツ受信手段を用いる映像コンテンツの受信が所定の時間帯で予約設定される予約設定手段と、
前記予約設定された時間帯の映像コンテンツを受信し、記録媒体に記録する記録手段と、
前記記録された映像コンテンツの少なくとも１つに対し、記録容量が少なくなるように圧縮処理を行う記録容量圧縮手段と、
前記予約設定手段に予約設定された映像コンテンツの受信時間帯を検出する予約検出手段を備え、前記記録容量圧縮手段は前記予約検出手段で検出された映像コンテンツの受信時間帯を避けて、前記圧縮処理を行うことを特徴とする映像コンテンツ記録装置。
【請求項２】
圧縮処理を行う映像コンテンツが予め設定される圧縮コンテンツ設定手段をさらに備え、前記記録容量圧縮手段は圧縮コンテンツ設定手段に設定された映像コンテンツの圧縮処理を行うことを特徴とする請求項１に記載の映像コンテンツ記録装置。
【請求項３】
映像コンテンツの圧縮処理に要する処理時間を計算する圧縮処理時間計算手段を備え、前記記録容量圧縮手段は前記映像コンテンツの受信時間帯を避けることに加え、前記計算された映像コンテンツの圧縮処理時間を用い、前記予約設定された時間帯の映像コンテンツの受信および記録に影響しないように圧縮処理を行うことを特徴とする請求項１または２に記載の映像コンテンツ記録装置。
【請求項４】
前記圧縮コンテンツ設定手段は圧縮処理を行う設定が予め除外設定される圧縮除外手段をさらに備え、圧縮処理を行う設定が予め除外設定された映像コンテンツは映像コンテンツの圧縮処理を除外することを特徴とする請求項１乃至３に記載の映像コンテンツ記録装置。
【請求項５】
映像コンテンツを受信するステップと、
映像コンテンツの受信が所定の時間帯で予約設定されるステップと、
前記予約設定された時間帯の映像コンテンツを受信し、記録媒体に記録するステップと、
記録された映像コンテンツの少なくとも１つに対し、記録容量が少なくなるように圧縮処理を行うステップと、
前記予約設定された映像コンテンツの受信時間帯を検出するステップと、
前記検出された映像コンテンツの受信時間帯を避けて、前記圧縮処理を行うステップを備えることを特徴とする映像コンテンツ記録方法。
【発明の詳細な説明】
【技術分野】
【０００１】
この発明は、受信した映像コンテンツを記録媒体に記録する映像コンテンツ記録装置に関する。またこの発明は記録された映像コンテンツの少なくとも１つに対し、記録容量が少なくなるように圧縮処理を行う映像コンテンツ記録装置に関する。
【背景技術】
【０００２】
現在、受信した映像コンテンツを記録媒体に記録する映像コンテンツ記録装置が普及している。
特許文献１には、ユーザが任意に、デジタル情報の圧縮開始日を設定することが可能なデジタル情報圧縮装置が開示されている。すなわち特許文献１においては、デジタル情報の圧縮率変更の間隔、圧縮率変更の段階をユーザ自身が設定できるようにし、ユーザの好みによりコンテンツ毎に、デジタル情報の圧縮率、圧縮率変更の間隔、圧縮率変更の段階を設定することが可能なデジタル情報圧縮装置が開示されている。これによって、ユーザ自身の設定に応じ、定期的にデジタル情報の圧縮を行い、デジタル情報量を削減することを可能とする技術が開示されている。
【０００３】
しかしながら、この特許文献１においては、圧縮処理を行う時間帯はユーザ自身が予め設定する構成になっている。このため、ユーザが事前に圧縮処理を行う時間帯を設定した後に、例えばこの設定に気づかず、録画予約が設定されると、圧縮処理と予約録画が重複し、失敗してしまうという問題があった。また、この問題を回避するために、圧縮処理の設定を解除したり、再設定したりすることはユーザにとって煩雑であるという問題があった。また、録画を自動で設定し、録画する自動録画機能が組み合わされると、ユーザが意識しない録画予約も設定され、圧縮処理と予約録画の重複がさらに増加するという問題があった。このため、製品への適用という点でまだ十分な開示であるとはいえなかった。
【特許文献１】特開2007-11502
【発明の開示】
【発明が解決しようとする課題】
【０００４】
そこで、この発明は、上記事情を考慮してなされたもので、映像コンテンツ記録装置において、圧縮処理と予約録画の重複を防止することを目的とする。また、圧縮処理と予約録画の重複を防止することによって、圧縮処理と予約録画の両者を確実にすることを目的とする。また、ユーザにとって利便性を向上させた映像コンテンツ記録装置を提供することを目的とする。
【課題を解決するための手段】
【０００５】
この発明に係る映像コンテンツ記録装置は、映像コンテンツを受信する映像コンテンツ受信手段と、前記映像コンテンツ受信手段を用いる映像コンテンツの受信が所定の時間帯で予約設定される予約設定手段と、前記予約設定された時間帯の映像コンテンツを受信し、記録媒体に記録する記録手段と、前記記録された映像コンテンツの少なくとも１つに対し、記録容量が少なくなるように圧縮処理を行う記録容量圧縮手段と、前記予約設定手段に予約設定された映像コンテンツの受信時間帯を検出する予約検出手段を備え、前記記録容量圧縮手段は前記予約検出手段で検出された映像コンテンツの受信時間帯を避けて、前記圧縮処理を行うように構成している。
【０００６】
またこの発明に係る映像コンテンツ記録方法は映像コンテンツを受信するステップと、映像コンテンツの受信が所定の時間帯で予約設定されるステップと、前記予約設定された時間帯の映像コンテンツを受信し、記録媒体に記録するステップと、記録された映像コンテンツの少なくとも１つに対し、記録容量が少なくなるように圧縮処理を行うステップと、前記予約設定された映像コンテンツの受信時間帯を検出するステップと、前記検出された映像コンテンツの受信時間帯を避けて、前記圧縮処理を行うステップを備えるように構成している。
【発明の効果】
【０００７】
上記した構成によれば、映像コンテンツ記録装置において、圧縮処理と予約録画の重複を防止することが可能となる。また、圧縮処理と予約録画の重複を防止することによって、圧縮処理と予約録画の両者を確実にすることが可能となる。また、ユーザにとって利便性を向上させた映像コンテンツ記録装置を提供することが可能となる。
【発明を実施するための最良の形態】
【０００８】
以下、図面を参照してこの発明の実施の形態を説明する。
図１はこの発明の実施の形態に係る映像コンテンツ記録装置の構成を示すブロック図である。
符号１はアンテナ、符号２はディスプレイ、符号３はリモコン、符号４はチューナー部、符号５はMPEGエンコード部、符号６はハードディスク部（記憶部）、符号６aはコンテンツデータ、符号６ｂはコンテンツ管理テーブル、符号６ｃはEPGデータ、符号６ｄは予約データ、符号６eは再圧縮管理情報である。
【０００９】
符号７はMPEGデコード部、符号８は出力部、符号９は操作部、符号１０は予約部、符号１１はRTC部、符号１２は制御部、符号１３はライブラリ管理部、符号１４は出力選択部、符号１５はディスク容量監視部、符号１６は再圧縮コンテンツ選定部、符号１７は再圧縮レート決定部、符号１８は再圧縮スケジュール部である。
【００１０】
アンテナ１は、チューナー部４に接続し、ＴＶ放送を受信する。ディスプレイ２は、液晶あるいはＣＲＴディスプレイ等で構成され、この発明の実施の形態においては、映像データ及び操作メニュー画面を表示する。
【００１１】
ユーザがリモコン３を操作し、この発明の実施の形態に係る映像コンテンツ記録装置に対して番組録画の予約や再圧縮希望時間帯指定等の操作を行う。このリモコン３はＧコード（登録商標）による番組予約及び時間やチャンネル等の数字を入力するためのテンキー、再生/録画を指示するための操作ボタン、ＧＵＩ操作のための十字キーなどの機能を備える。
【００１２】
チューナー部４は、無線のテレビ放送を受信・選局し、音声・映像信号（映像コンテンツ）を取得する。この発明の実施の形態においては、地上アナログ放送を受信して、復調する例を用いて説明する。
【００１３】
MPEGエンコード部５はチューナー部４で得られた音声・映像信号（映像コンテンツ）を記録用の信号に変換（エンコード）する。ここでは例えば、現在、広く一般的な規格であるＭＰＥＧ２に変換する。変換されたＭＰＥＧ２の映像ファイルは、記憶部６のコンテンツデータ６aとして格納する。
【００１４】
説明を簡単にするため、この発明の実施の形態で説明する録画モードはＸＰ，ＳＰ，ＬＰ，ＥＰの４つとする。ＸＰを１とした場合、各モードで録画した場合のファイルサイズは、ＳＰが１／２、ＬＰが１／４、ＥＰが１／８となる。ここでは、録画は全てＸＰで行い、再圧縮では、再エンコードの録画モードをＳＰ〜ＥＰに変えることで、より高い圧縮を実現できる。
【００１５】
ハードディスク部（記憶部）６は、ＭＰＥＧエンコード部５で変換されたＭＰＥＧ２のコンテンツデータ６aと同コンテンツデータを管理するコンテンツ管理テーブル６ｂを格納する。
【００１６】
図２はこの発明の実施の形態に係る映像コンテンツ記録装置におけるコンテンツ管理テーブルの一例を示す図である。
ここではコンテンツ管理テーブル６ｂには、コンテンツ名、録画日、コンテンツのファイルサイズ、録画モード、録画時間の情報が格納されている。また、ハードディスク部（記憶部）６には、特に図示しないが、予約録画に用いる電子番組表のEPGデータ６ｃ、予約録画のスケジュールを記憶する予約データ６ｄ、再圧縮管理情報６eも格納される。また、圧縮処理を行う設定が予め除外設定される圧縮除外手段としてflagが格納される。ここでは、×が付されたコンテンツは圧縮処理が予め除外設定される。○が付されたコンテンツはそのまま圧縮処理を行ってよいという設定である。
【００１７】
図３はこの発明の実施の形態に係る映像コンテンツ記録装置におけるディスク使用上限テーブルの一例を示す図、図４はこの発明の実施の形態に係る映像コンテンツ記録装置における録画レート／保持期間テーブルの一例を示す図、図５はこの発明の実施の形態に係る映像コンテンツ記録装置における再圧縮時間帯指定テーブルの一例を示す図、図６はこの発明の実施の形態に係る映像コンテンツ記録装置における再圧縮スケジュールテーブルの一例を示す図である。
【００１８】
ここでは、再圧縮管理情報６eは、図３に示すディスク使用上限テーブル、図４に示す録画レート／保持期間テーブル、図５に示す再圧縮時間帯指定テーブル、図６に示す再圧縮スケジュールテーブルの４つのテーブルで構成される。
【００１９】
MPEGデコード部７は、ハードディスク部（記憶部）６のコンテンツデータ６aを表示用の信号に変換（デコード）する。具体的には、ＭＰＥＧ２フォーマットのコンテンツデータを読み出し、復号伸長する機能を有し、映像信号を出力部８に出力する。
【００２０】
出力部８は、MPEGデコード部７の映像と、操作部９のGUI画面をブレンドして、ディスプレイ２に出力し、表示する。操作部９は、リモコン３からの、例えば赤外線によるコマンドを受信し、この発明の実施の形態に係るユーザ操作が行われる部分である。
【００２１】
予約部１０は、例えばＥＰＧなどの番組表を表示し、その番組表を元にユーザ（利用者）が番組の録画予約を行う部分である。RTC部１１は、内蔵時計（Real Time Clock）である。予約録画等のために制御部１２が、再圧縮コンテンツの選定のために再圧縮コンテンツ選定部１６等がこのRTC部１１で示される時刻を参照する。
【００２２】
制御部１２は、チューナー部４などの各部の制御を行う部分であり、例えばＣＰＵである。制御部１２は予約録画など、システム全体を制御しているが、この発明の実施の形態では、再圧縮時の制御について説明する。
【００２３】
再圧縮時には、制御部１２は、所定の時間（例えば一定間隔）に、再圧縮管理情報６ｅの再圧縮スケジュールテーブルをチェックする。もし、現時刻に再圧縮すべきコンテンツが登録されていれば、MPEGエンコード部５に録画モードをセットした後、出力選択部１４をMPEGエンコード部５に接続する。
【００２４】
次に、同コンテンツをコンテンツデータ６aから読み出し、MPEGデコード部７のデコード結果をMPEGエンコード部５に入力して再度、エンコードする。ここでは、新しい録画モードで圧縮されたコンテンツができた後、元のコンテンツを削除する。
【００２５】
ライブラリ管理部１３は、コンテンツ管理テーブル６ｂを用いて、コンテンツデータ６ａの管理を行う。例えば、フォルダを作成したり、フォルダ間でコンテンツデータを移動したりといった動作を行う。
【００２６】
出力選択部１４は、MPEGデコード部７のデコード出力を、出力部８あるいはＭＰＥＧエンコード部５に接続する選択を行う。MPEGデコード部７のデコード出力を出力部８に接続する場合は通常のコンテンツ再生である。MPEGデコード部７のデコード出力をＭＰＥＧデコード部５に接続する場合は、再圧縮する場合である。この選択は制御部１２が行うが、この発明の実施の形態においては、制御部１２は再圧縮管理情報６ｅを参照する。
【００２７】
ディスク容量監視部１５は、再圧縮管理情報６eのディスク使用上限テーブルを参照し、コンテンツデータの再圧縮を実施するか否かをコンテンツ格納時に判定する。例えば、ディスク容量が３０ＧＢ、ディスク使用制限が７５％であれば、コンテンツサイズの総量が２２．５ＧＢを超えたときに、再圧縮コンテンツ選定部１６に再圧縮処理実行の命令を発行する。
【００２８】
再圧縮コンテンツ選定部１６は、ディスク容量監視部１５から再圧縮処理実行の命令を受けて、再圧縮の対象となるコンテンツを選定する。その際に、まず、各コンテンツデータの録画日付とＲＴＣ部１１の現在の時刻（日付等含む）を比較して、両者の経過時間を求める。次に、再圧縮管理情報６ｅの録画レート／保持期間テーブルを参照して、各コンテンツを再圧縮の対象となるコンテンツを選定する。
【００２９】
再圧縮レート決定部１７は、再圧縮コンテンツ選定部１６が選定したコンテンツ群に対して録画レートを決定する。
再圧縮スケジュール部１８は、まず、再圧縮対象コンテンツの録画時間から再圧縮（デコード→エンコード）に必要な時間を算出する。この発明の実施の形態では、簡単のため、対象コンテンツの録画時間と同じ時間で再圧縮できるものとする。即ち、録画時間が１時間のコンテンツの再圧縮に要する時間は１時間と仮定する。
【００３０】
次に、再圧縮管理情報６ｅの再圧縮時間帯指定テーブルと予約データ６ｄを参照して、再圧縮スケジュールテーブルに、当該コンテンツの再圧縮をスケジュールする。制御部１２は前記再圧縮スケジュールテーブルを参照して、該当の時間帯に該当のコンテンツの再圧縮を行う。
【００３１】
つづいてユーザがリモコン操作を行い、映像記録装置に圧縮を実行するディスク残量と再圧縮希望時間帯を設定し、ディスク残量が指定を下回ったときに、録画予約の時間を避けて、コンテンツが圧縮される様子について説明する。
【００３２】
まず１設定フローの説明を行う。
図７はこの発明の実施の形態に係る映像コンテンツ記録装置におけるユーザによる設定のようすを示すフローチャートである。また、図８はこの発明の実施の形態に係る映像コンテンツ記録装置において使用されるＧＵＩの一例を示す図である。
【００３３】
ここではユーザによる設定は、図８に示すようなＧＵＩが用いられ、ユーザがリモコン３を操作することにより行われる。
符号Ｓ７０はここでの開始ステップである（Ｓｔａｒｔ）。続いて符合Ｓ７１を付したステップへ進む。
ステップＳ７１は、ディスク使用上限の設定を行うステップである。ここではディスク使用上限の設定（指定）がパーセンテージで行われる。
図９はこの発明の実施の形態に係る映像コンテンツ記録装置においてディスク使用上限を７５％としたディスク使用上限テーブルの一例を示す図である。例えば、搭載のハードディスクが３０ＧＢの場合、ディスク使用上限を７５％とすれば、録画コンテンツの総ファイルサイズが２２．５ＧＢを超えたときに、再圧縮処理が起動する。逆に、ディスク使用上限の２２．５ＧＢを超えなければ、コンテンツが古くなっても、再圧縮されることを防止することができる。続いて符合Ｓ７２を付したステップへ進む。
【００３４】
ステップＳ７２は再圧縮時間帯を設定（指定）するステップである。例えば利用者は、装置に対してあまり装置を使用しない時間帯を設定することが可能となる。例えばこの設定によって、再圧縮処理とユーザ（利用者）操作が競合することを防止することが可能となる。例えばこの発明の実施の形態においては、１週間を通じて、午前零時から午前７時までを、再圧縮時間帯として設定（指定）する。
【００３５】
図１０はこの発明の実施の形態に係る映像コンテンツ記録装置において１週間を通じて午前零時から午前７時までを再圧縮時間帯とした場合の再圧縮時間帯指定テーブルの一例を示す図である。続いて符合Ｓ７３を付したステップへ進む。
【００３６】
ステップＳ７３は録画モードと、その録画モードでコンテンツを保持する期間を設定（指定）するステップである。ここでは、録画モードと、その録画モードでコンテンツを保持する期間を月単位で設定（指定）する。この発明の実施の形態においては、例えば最初の録画は画質を優先してＸＰモードで行う。よって、ＸＰモードで保持する期間を長くすれば、録画したコンテンツの画質は長期に渡り保持される。逆に、ＸＰモードの期間を短くすれば、録画してから短い期間の経過で、当該コンテンツは圧縮の対象となる。
【００３７】
ここでは、ＸＰモードを３ヶ月保持し、ＳＰモードは３ヶ月から６ヶ月、ＬＰモードは６ヶ月から９ヶ月、１２ヶ月超はEＰモードで保持するものとし、ＸＰモードは３、ＳＰモードは６、ＬＰモードは９、EＰモードは１２と入力する。
【００３８】
図１１はこの発明の実施の形態に係る映像コンテンツ記録装置においてＸＰモードを３ヶ月保持し、ＳＰモードは３ヶ月から６ヶ月、ＬＰモードは６ヶ月から９ヶ月、１２ヶ月超はEＰモードで保持する場合の録画レート／保持期間テーブルの一例を示す図である。続いて符合Ｓ７４を付したステップへ進む。
【００３９】
ステップＳ７４は終了ステップであり、ここでの処理は終了する。
つづいてこの発明の実施の形態に係る再圧縮スケジュールテーブルの作成フローを説明する。
図１２はこの発明の実施の形態に係る映像コンテンツ記録装置において再圧縮スケジュールテーブルが作成されるようすを示すフローチャートである。
ここでは再圧縮スケジュールテーブルは、再圧縮の対象となるコンテンツ名のリストである。図６に示すように、コンテンツ毎に再圧縮に必要な処理時間見積もり、録画モード、再圧縮開始日時を格納する。
【００４０】
再圧縮スケジュールテーブルの作成フローは、再圧縮スケジュールテーブルを作成するフローであり、手動録画あるいは予約録画が終了したときに、すなわちコンテンツがハードディスクに記録されたときに、制御部１２が起動することが望ましい。すなわち、再圧縮起動の条件であるディスク使用の上限を超えるのは、録画を終了したときであるため、前記タイミングで起動することが望ましい。
【００４１】
符号Ｓ１２０はここでの開始ステップである（Ｓｔａｒｔ）。続いて符合Ｓ１２１を付したステップへ進む。
ステップＳ１２１は、ディスク（映像コンテンツを記録する記録媒体）の使用量をチェックするステップである。すなわち、現時点のディスク使用量が、ディスク使用上限を超えていないかをチェックする。続いて符合Ｓ１２２を付したステップへ進む。
【００４２】
ステップＳ１２２は上記チェックによってディスクの使用量が使用上限を超えたか否かを判断するステップである。
例えば上記図２に示した例を用い、「2007/3/1」時点のコンテンツ管理テーブルの例を示す。コンテンツ再圧縮フローは、上述のとおり録画終了時に起動されるため、最後のコンテンツ（Contents5）の日付は２００７/３/１である。各コンテンツは全てＸＰモードで録画されており、そのサイズは各４．７ＧＢであり、コンテンツの総サイズは２３．５ＧＢである。ステップＳ１２１で求めたコンテンツの総サイズが２３．５ＧＢに対し、ディスク使用上限は２２．５ＧＢであり、判定はＹＥＳとなる。すなわち、再圧縮処理を実行する。ＹＥＳの場合は符合Ｓ１２３を付したステップへ進む。またディスクの使用量が使用上限を超えない場合は符合Ｓ１２７を付したステップへ進む（Ｎｏ）。
【００４３】
ステップＳ１２３はこの発明の実施の形態にかかる映像記録装置が、再圧縮対象のコンテンツを選定するステップである。
図１３はこの発明の実施の形態に係る映像コンテンツ記録装置において例えばContents5以外を再圧縮対象としてリストアップされた再圧縮スケジュールテーブルの一例を示す図である。ステップＳ１２３では、まず、ＲＴＣ部より現在の日時として、2007/3/1を取得する。次に、コンテンツ管理テーブル（図２）の各コンテンツの録画日付を比較して、Contents5以外を再圧縮対象としてリストアップする。続いて符合Ｓ１２４を付したステップへ進む。
【００４４】
ステップＳ１２４は各コンテンツの録画モードを決定するステップである。
図１４はこの発明の実施の形態に係る映像コンテンツ記録装置において各コンテンツの再圧縮時の録画モードを決定した再圧縮スケジュールテーブルの一例を示す図である。
【００４５】
図１４に示すように、ステップＳ１２３で求めたリストに対して、その経過時間と、録画レート／保持期間テーブルから、各コンテンツの再圧縮時の録画モードを決定する。続いて符合Ｓ１２５を付したステップへ進む。
【００４６】
ステップＳ１２５は再圧縮時間を計算（算出）するステップである。ここでは説明を簡単にするため、例えば録画時間を再圧縮時間と同じとしている。そのため、各コンテンツの再圧縮時間は図１５に示すように全て1時間である。
【００４７】
図１５はこの発明の実施の形態に係る映像コンテンツ記録装置において各コンテンツの再圧縮処理時間を見積もった再圧縮スケジュールテーブルの一例を示す図である。続いて符合Ｓ１２６を付したステップへ進む。
【００４８】
ステップＳ１２６は再圧縮時間、すなわち再圧縮を何時実施すべきかのスケジューリングを行い決定するステップである。例えば、図１０に示す再圧縮時間帯指定テーブルの例においては、日曜から土曜までの午前零時から午前７時までの時間帯で、４つのコンテンツを再圧縮するために必要な各1時間のスロットを４つ見つければよいことが分かる。
【００４９】
次に、図１６に示す録画予約の情報を予約データから読み出すと、直近の３/２の午前零時から午前７時までの時間帯では、午前０時から午前1時、午前３時から午前4時、午前5時から午前6時の3箇所に録画予約があることがわかる。
【００５０】
そこで、図１７に示すように、再圧縮スケジュール部１８は、午前1時から午前２時、午前２時から午前３時、午前４時から午前５時、午前６時から午後７時に各コンテンツの再圧縮をスケジューリングする。続いて符合Ｓ１２７を付したステップへ進む。
【００５１】
ステップＳ１２７は終了ステップであり、ここでの処理は終了する。
図１８はこの発明の実施の形態に係る映像コンテンツ記録装置において再圧縮が行われるようすを示すフローチャートである。
ここではＲＴＣ部１１が示す現時刻は「2007/3/2 AM1」であり、図１７に示す再圧縮スケジュールテーブルが作成済みとする。
符号Ｓ１８０はここでの開始ステップである（Ｓｔａｒｔ）。続いて符合Ｓ１８１を付したステップへ進む。
ステップＳ１８１は、図１７に示す再圧縮スケジュールテーブルに再圧縮を行うコンテンツは登録（格納）されているか否かを判断するステップである。再圧縮スケジュールテーブルに再圧縮を行うコンテンツは登録（格納）されていると判断される場合は符号Ｓ１８２を付したステップへ進む（Ｙｅｓ）。再圧縮スケジュールテーブルに再圧縮を行うコンテンツは登録（格納）されていないと判断される場合は符号Ｓ１８１２を付したステップへ進む（Ｎｏ）。
【００５２】
ここでは４つの再圧縮対象コンテンツ（Contents1〜Contents4）が、再圧縮スケジュールテーブル(図１７)に格納されており、判定はYESとなる。
【００５３】
ステップＳ１８２は、登録されたコンテンツを全て取り出したか否かを判断するステップである。登録されたコンテンツを全て取り出したと判断される場合は符号Ｓ１８１２を付したステップへ進む（Ｙｅｓ）。登録されたコンテンツを全て取り出したと判断されない場合は符号Ｓ１８３を付したステップへ進む（Ｎｏ）。
【００５４】
ステップＳ１８３は、コンテンツを１つ取り出すステップである。続いて符合Ｓ１８４を付したステップへ進む。
ステップＳ１８４は、再圧縮スケジュールを取得するステップである。これらステップＳ１８２〜Ｓ１８４において、再圧縮スケジュールテーブルの最初のコンテンツ「Contents1」を取り出し、再圧縮スケジュール「2007/3/2 AM1-AM2」を取得する。続いて符合Ｓ１８５を付したステップへ進む。
【００５５】
ステップＳ１８５は、現在の日時をＲＴＣより取得するステップである。RTC部１１より現時刻「2007/3/2 AM1」を取得する。続いて符合Ｓ１８６を付したステップへ進む。
【００５６】
ステップＳ１８６は再圧縮実行時刻に到達したか否かを判断するステップである。ここでは現時刻は「Contents1」の再圧縮実行時刻であるため、判定はYESである。再圧縮実行時刻に到達したと判断した場合は符号Ｓ１８７を付したステップへ進む（Ｙｅｓ）。再圧縮実行時刻に到達しないと判断した場合は符号Ｓ１８２を付したステップへ進み上記処理を繰り返す（Ｎｏ）。
【００５７】
ステップＳ１８７はデコード部の出力をエンコード部に接続し、デコードされたコンテンツをエンコード部でエンコードできるようにするステップである。続いて符合Ｓ１８８を付したステップへ進む。
【００５８】
ステップＳ１８８はエンコード部に再圧縮時の録画モードを設定するステップである。すなわち、Contents1の録画モードEPを取得し、エンコード部にセットする（録画モードをXPからEPに変更する）。続いて符合Ｓ１８９を付したステップへ進む。
【００５９】
ステップＳ１８９はコンテンツのデコード結果を再エンコードするステップである。すなわち、ＸＰモードで録画された「Contents1」をデコード部でデコードし、そのデコードされた映像を再度、エンコード部で、ＥＰモードでエンコードする。再エンコードが終了するまで、元ファイルは維持する必要があるため、再エンコード結果は、例えば、「Contents1.tmp」という別名で保存する。続いて符合Ｓ１８１０を付したステップへ進む。
【００６０】
ステップＳ１８１０は再エンコードしたコンテンツで上書きを行うステップである。すなわち、再エンコード結果である「Contents1.tmp」で「Contents1」を上書きする。続いて符合Ｓ１８１１を付したステップへ進む。
【００６１】
ステップＳ１８１１は再圧縮スケジュールテーブルよりコンテンツのエントリを削除するステップである。ここでは「Contents1」のエントリを再圧縮スケジュールテーブルから削除する。続いて符合Ｓ１８２を付したステップへ進む。
【００６２】
上記処理を、図１７の再圧縮スケジュールテーブルに対して繰り返して行うと、「2007/3/2 AM1」から「2007/3/2 AM8」の間に、再圧縮スケジュールテーブルに格納された全てのコンテンツの再圧縮が完了し、コンテンツ管理テーブルは図１９に示すようになる。ここでは、２３．６ＧＢあったコンテンツが、９．３９７ＧＢに圧縮される。
【００６３】
このように、この発明の実施の形態に係る映像記録装置においては、記録容量圧縮手段は予約された映像コンテンツの受信時間帯を避けて、圧縮処理を行うようにあらかじめ設定をしているので、ディスク残量が少なくなったときに、圧縮処理と予約録画の重複を防止することができるので安心してコンテンツを圧縮することができる。
【００６４】
尚、上記説明では、説明を簡単にするため、ディスク容量監視部１５は、現在のディスク残量を監視した。さらに、録画予約データも同時に参照することで、将来発生するディスク容量の不足を予測し、再圧縮コンテンツ選定部１６に事前に再圧縮処理実行を指示することも可能となる。
【００６５】
すなわちこの発明の実施の形態に係る映像コンテンツ記録装置においては、予約設定された時間帯の映像コンテンツを受信し、記録媒体に記録する記録手段と、記録された映像コンテンツの少なくとも１つに対し、記録容量が少なくなるように圧縮処理を行う記録容量圧縮手段と、予約設定手段に予約設定された映像コンテンツの受信時間帯を検出する予約検出手段を備え、記録容量圧縮手段は予約検出手段で検出された映像コンテンツの受信時間帯を避けて、前記圧縮処理を行うように構成している。
【００６６】
また、この発明の実施の形態に係る映像コンテンツ記録装置は、圧縮処理を行う映像コンテンツが予め設定される圧縮コンテンツ設定手段を備え、記録容量圧縮手段は圧縮コンテンツ設定手段に設定された映像コンテンツの圧縮処理を行うように構成している。
【００６７】
また、この発明の実施の形態に係る映像コンテンツ記録装置は、映像コンテンツの圧縮処理に要する処理時間を計算する圧縮処理時間計算手段を備え、記録容量圧縮手段は映像コンテンツの受信時間帯を避けることに加え、計算された映像コンテンツの圧縮処理時間を用い、予約設定された時間帯の映像コンテンツの受信および記録に影響しないように圧縮処理を行うように構成している。
【００６８】
また、この発明の実施の形態に係る映像コンテンツ記録装置は、圧縮コンテンツ設定手段は圧縮処理を行う設定が予め除外設定される圧縮除外手段を備え、圧縮処理を行う設定が予め除外設定された映像コンテンツは映像コンテンツの圧縮処理を除外するように構成している。
【００６９】
すなわち、この発明の実施の形態に係る映像コンテンツ記録装置においては、映像コンテンツを受信する映像コンテンツ受信手段と、前記映像コンテンツ受信手段を用いる映像コンテンツの受信が所定の時間帯で予約設定される予約設定手段と、前記予約設定された時間帯の映像コンテンツを受信し、記録媒体に記録する記録手段と、前記記録された映像コンテンツの少なくとも１つに対し、記録容量が少なくなるように圧縮処理を行う記録容量圧縮手段と、前記予約設定手段に予約設定された映像コンテンツの受信時間帯を検出する予約検出手段を備え、前記記録容量圧縮手段は前記予約検出手段で検出された映像コンテンツの受信時間帯を避けて、前記圧縮処理を行うように構成している。
【００７０】
上記のように構成することによって、この発明の実施の形態においては、映像コンテンツ記録装置において、圧縮処理と予約録画の重複を防止することが可能となるという効果がある。また、圧縮処理と予約録画の重複を防止することによって、圧縮処理と予約録画の両者を確実にすることが可能となるという効果がある。また、ユーザにとって利便性を向上させた映像コンテンツ記録装置を提供することが可能となるという効果がある。
【００７１】
なお、この発明は上記した実施の形態そのままに限定されるものではなく、実施段階ではその趣旨を逸脱しない範囲で構成要素を種々変形して具体化することが可能である。
【図面の簡単な説明】
【００７２】
【図１】この発明の実施の形態に係る映像コンテンツ記録装置の構成を示すブロック図。
【図２】この発明の実施の形態に係る映像コンテンツ記録装置におけるコンテンツ管理テーブルの一例を示す図。
【図３】この発明の実施の形態に係る映像コンテンツ記録装置におけるディスク使用上限テーブルの一例を示す図。
【図４】この発明の実施の形態に係る映像コンテンツ記録装置における録画レート／保持期間テーブルの一例を示す図。
【図５】この発明の実施の形態に係る映像コンテンツ記録装置における再圧縮時間帯指定テーブルの一例を示す図。
【図６】この発明の実施の形態に係る映像コンテンツ記録装置における再圧縮スケジュールテーブルの一例を示す図。
【図７】この発明の実施の形態に係る映像コンテンツ記録装置におけるユーザによる設定のようすを示すフローチャート。
【図８】この発明の実施の形態に係る映像コンテンツ記録装置において使用されるＧＵＩの一例を示す図。
【図９】この発明の実施の形態に係る映像コンテンツ記録装置においてディスク使用上限を７５％としたディスク使用上限テーブルの一例を示す図。
【図１０】この発明の実施の形態に係る映像コンテンツ記録装置において１週間を通じて午前零時から午前７時までを再圧縮時間帯とした場合の再圧縮時間帯指定テーブルの一例を示す図。
【図１１】この発明の実施の形態に係る映像コンテンツ記録装置においてＸＰモードを３ヶ月保持し、ＳＰモードは３ヶ月から６ヶ月、ＬＰモードは６ヶ月から９ヶ月、１２ヶ月超はＸＰモードで保持する場合の録画レート／保持期間テーブルの一例を示す図。
【図１２】この発明の実施の形態に係る映像コンテンツ記録装置において再圧縮スケジュールテーブルが作成されるようすを示すフローチャート。
【図１３】この発明の実施の形態に係る映像コンテンツ記録装置において例えばContents5以外を再圧縮対象としてリストアップされた再圧縮スケジュールテーブルの一例を示す図。
【図１４】この発明の実施の形態に係る映像コンテンツ記録装置において各コンテンツの再圧縮時の録画モードを決定した再圧縮スケジュールテーブルの一例を示す図。
【図１５】この発明の実施の形態に係る映像コンテンツ記録装置において各コンテンツの再圧縮処理時間を見積もった再圧縮スケジュールテーブルの一例を示す図。
【図１６】この発明の実施の形態に係る映像コンテンツ記録装置における予約データの一例を示す図。
【図１７】この発明の実施の形態に係る映像コンテンツ記録装置における各コンテンツの再圧縮をスケジューリングした再圧縮スケジュールテーブルの一例を示す図。
【図１８】この発明の実施の形態に係る映像コンテンツ記録装置において再圧縮が行われるようすを示すフローチャート。
【図１９】この発明の実施の形態に係る映像コンテンツ記録装置において全てのコンテンツの再圧縮が完了した場合のコンテンツ管理テーブルの一例を示す図。
【符号の説明】
【００７３】
１…アンテナ、２…ディスプレイ、３…リモコン、４…チューナー部、５…MPEGエンコード部、６…ハードディスク部（記憶部）、６a…コンテンツデータ、６ｂ…コンテンツ管理テーブル、６ｃ…EPGデータ、６ｄ…予約データ、６e…再圧縮管理情報、７…MPEGデコード部、８…出力部、９…操作部、１０…予約部、１１…RTC部、１２…制御部、１３…ライブラリ管理部、１４…出力選択部、１５…ディスク容量監視部、１６…再圧縮コンテンツ選定部、１７…再圧縮レート決定部、１８…再圧縮スケジュール部。
【図１】
2009124504.tif 000003
【図２】
2009124504.tif 000004
【図３】
2009124504.tif 000005
【図４】
2009124504.tif 000006
【図５】
2009124504.tif 000007
【図６】
2009124504.tif 000008
【図７】
2009124504.tif 000009
【図８】
2009124504.tif 000010
【図９】
2009124504.tif 000011
【図１０】
2009124504.tif 000012
【図１１】
2009124504.tif 000013
【図１２】
2009124504.tif 000014
【図１３】
2009124504.tif 000015
【図１４】
2009124504.tif 000016
【図１５】
2009124504.tif 000017
【図１６】
2009124504.tif 000018
【図１７】
2009124504.tif 000019
【図１８】
2009124504.tif 000020
【図１９】
2009124504.tif 000021